(57)【要約】【課題】ユーザに操作を強いることなく、メールの再送信に成功したことをユーザに視覚的に認識させる。【解決手段】携帯情報端末１は、メールの再送信の成功を検出するメール送信制御部３２と、メール送信制御部３２が再送信の成功を検出したときに、ＬＥＤ２４を点灯させることによって再送信の成功を報知する報知部３４とを備えている。【選択図】図１
2014003394.tif 000002
【特許請求の範囲】
【請求項１】
送信に失敗した電子メールを再送信する携帯情報端末であって、
再送信の成功を検出する検出手段と、
上記検出手段が再送信の成功を検出したときに、発光部の発光状態を変化させることによって再送信の成功を報知する報知手段とを備えていることを特徴とする携帯情報端末。
【請求項２】
上記発光部は、上記携帯情報端末上に設けられており、
上記携帯情報端末の周囲の照度を測定する照度測定部を備え、
上記報知手段は、上記照度測定部が測定した照度の値が、予め定められた閾値未満である間は報知を待機し、上記照度測定部が測定した照度の値が上記閾値以上となったときに上記発光部を発光させて報知することを特徴とする請求項１に記載の携帯情報端末。
【請求項３】
上記発光部は、上記携帯情報端末上に設けられており、
上記携帯情報端末の周囲の照度を測定する照度測定部を備え、
上記報知手段は、上記照度測定部が測定した照度の値が大きいほど高い発光強度で上記発光部を発光させることによって、再送信の成功を報知することを特徴とする請求項１または２に記載の携帯情報端末。
【請求項４】
上記発光部は、上記携帯情報端末上に設けられており、
上記携帯情報端末の周囲の色を検出する色検出部を備え、
上記報知手段は、上記色検出部が検出した色に応じて、予め定められた発光色で上記発光部を発光させることによって、再送信の成功を報知することを特徴とする請求項１から３の何れか１項に記載の携帯情報端末。
【請求項５】
上記発光部は、上記携帯情報端末上の複数個所に設けられており、
上記携帯情報端末の傾きを検出する傾き検出部を備え、
上記報知手段は、複数個所に設けられた上記発光部のうち、上記傾き検出部が検出した傾きで保持されている上記携帯情報端末を、上方もしくは斜め上方から見たときに視認可能な箇所に設けられた発光部を発光させることによって、再送信の成功を報知することを特徴とする請求項１から４の何れか１項に記載の携帯情報端末。
【請求項６】
上記報知手段は、電子メールの送信に失敗したときに上記発光部を発光状態とし、上記検出手段が再送信の成功を検出したときに、上記発光部を非発光状態とすることによって再送信の成功を報知することを特徴とする請求項１から５の何れか１項に記載の携帯情報端末。
【請求項７】
送信に失敗した電子メールを再送信する携帯情報端末による報知方法であって、
再送信の成功を検出する検出ステップと、
上記検出ステップにて再送信の成功を検出したときに、発光部の発光状態を変化させることによって再送信の成功を報知する報知ステップとを含むことを特徴とする報知方法。
【請求項８】
請求項１から６の何れか１項に記載の携帯情報端末を動作させるための制御プログラムであって、コンピュータを上記各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、携帯情報端末における電子メールの送信結果の報知に関する。
【背景技術】
【０００２】
従来より、携帯情報端末を用いた電子メール（以下、単にメールと呼ぶ）の送受信が広く行われており、これに関する様々な技術が提案されている。
【０００３】
例えば、下記の特許文献１には、メール送信の成否をＬＥＤなどの発光によってユーザに報知する技術が開示されている。なお、メール送信の成否は、メール送信後すぐに判明し、備え付けのディスプレイに表示されることが一般的であり、ユーザはＬＥＤの点灯よりもディスプレイの表示によって送信の正否を認識することが多い。このため、メール送信の成否をＬＥＤで通知する技術には、装飾的な効果しかないと考えられる。
【０００４】
また、下記特許文献２には、電波状況の悪化によってメールの送信が失敗した場合、電波状況が回復したタイミングで、バックグラウンドで自動的に再送信する技術が開示されている。
【０００５】
この技術によれば、地下鉄内などの電波状況の悪い場所でメールを送信した場合に、送信中に携帯情報端末と相手先のメールサーバとの接続が切れるといった理由で、送信が失敗したとしても、その後自動的にメールが再送信される。
【０００６】
また、特許文献２と同様の技術が下記特許文献３にも開示されている。具体的には、特許文献３には、コンテンツのダウンロードなどのリアルタイムに通信を実施しなくてもよいアプリケーションにおいて、所望の無線アクセス手段が利用可能となった時に、バックグラウンドで自動的に発信のリトライ処理を実施する技術が開示されている。
【先行技術文献】
【特許文献】
【０００７】
【特許文献１】特開２０００−２７０３５５号公報（２０００年９月２９日公開）
【特許文献２】特開２００５−１３５２５５号公報（２００５年５月２６日公開）
【特許文献３】特開２００８−３１２０６７号公報（２００８年１２月２５日公開）
【発明の概要】
【発明が解決しようとする課題】
【０００８】
しかしながら、上記の従来技術では、メールの再送信に成功したことをユーザに容易に認識させることができないという問題がある。すなわち、特許文献１には、メール送信の成否を報知することが記載されており、メールの再送信については何ら言及されていない。また、特許文献２および３には、メールの再送信について記載されているが、再送信の成功をユーザに容易に認識させるための効果的な構成が記載されていない。
【０００９】
このため、従来は、メールの再送信が成功したか否かを確認することが、ユーザにとって負担となる場合があった。
【００１０】
すなわち、従来は、メールの再送信が成功したか否かを携帯情報端末のディスプレイで確認する必要があった。そして、メールの再送信がいつ成功するかは、電波状況等によって変わるため、ユーザはある程度の期間を空けて確認を行う。
【００１１】
ここで、一般的な携帯情報端末は、一定時間ユーザ操作が検出されなかったときに、電池の消耗を防ぐべく、ディスプレイを消灯する機能を有している。このため、上記のように期間を空けて複数回の確認を行う場合には、その度にディスプレイを点灯させ、再送状況を確認するという複数ステップの操作を行う必要があり、このような操作がユーザの負担となる場合があった。
【００１２】
例えば、ユーザが、地下鉄の乗車中にメールの送信に失敗した場合、基地局と通信可能な駅に到着する度に、上記の操作を行うと考えられる。しかしながら、電車の加減速、あるいは乗降客との接触などによって、確認のための操作が困難であること、および携帯情報端末の落下の恐れがあることは容易に想像がつく。また、場合によっては、携帯情報端末を落とさないよう、確認を諦めることも考えられる。
【００１３】
本発明は、上記の課題に鑑みてなされたものであって、その目的は、ユーザに操作を強いることなく、メールの再送信に成功したことをユーザに視覚的に認識させることのできる携帯情報端末等を実現することにある。
【課題を解決するための手段】
【００１４】
上記課題を解決するために、本発明に係る携帯情報端末は、送信に失敗した電子メールを再送信する携帯情報端末であって、再送信の成功を検出する検出手段と、上記検出手段が再送信の成功を検出したときに、発光部の発光状態を変化させることによって再送信の成功を報知する報知手段とを備えていることを特徴としている。
【００１５】
また、上記課題を解決するために、本発明に係る報知方法は、送信に失敗した電子メールを再送信する携帯情報端末による報知方法であって、再送信の成功を検出する検出ステップと、上記検出ステップにて再送信の成功を検出したときに、発光部の発光状態を変化させることによって再送信の成功を報知する報知ステップとを含むことを特徴としている。
【００１６】
上記の構成によれば、電子メールの再送信に成功したことを検出した場合に、発光部の発光状態を変化させる。したがって、ユーザは、何ら操作を行うことなく、発光部を見るだけで、電子メールの再送信に成功したことを認識することができる。
【００１７】
つまり、上記の構成によれば、ユーザに極めて容易に再送信の成功を認識させることができる。例えば、地下鉄の乗車中のような不安定な状況下であっても、携帯情報端末を保持した状態のままで、安全に送信結果を確認させることができる。
【００１８】
なお、発光状態を変化させるとは、発光していない状態から発光している状態に変化させること、発光している状態から発光していない状態に変化させること、または発光のパターン（周期や色等）を変化させることを指す。
【００１９】
また、上記発光部は、携帯情報端末に備えられていてもよいし、携帯情報端末の外部に設けられていてもよい。そして、外部に設けられている場合には、有線または無線による制御によって発光部の発光状態を変化させればよい。
【００２０】
また、上記携帯情報端末では、上記発光部は、上記携帯情報端末上に設けられており、上記携帯情報端末の周囲の照度を測定する照度測定部を備え、上記報知手段は、上記照度測定部が測定した照度の値が、予め定められた閾値未満である間は報知を待機し、上記照度測定部が測定した照度の値が上記閾値以上となったときに上記発光部を発光させて報知することが好ましい。
【００２１】
上記の構成によれば、測定した照度の値が、予め定められた閾値未満である間は報知を待機するので、例えば携帯情報端末が鞄の中に入れられているときのような、発光部を視認し得ないような状態において、無駄に発光部を発光させることを防ぐことができる。これにより、携帯情報端末における無駄な電力消費を抑えることができる。
【００２２】
そして、例えばユーザが携帯情報端末を鞄から出したことによって、携帯情報端末の周囲の照度の値が閾値以上となったときに発光部を発光させるので、これにより、再送信に成功したことを知らしめることができる。
【００２３】
また、上記携帯情報端末では、上記発光部は、上記携帯情報端末上に設けられており、上記携帯情報端末の周囲の照度を測定する照度測定部を備え、上記報知手段は、上記照度測定部が測定した照度の値が大きいほど高い発光強度で上記発光部を発光させることによって、再送信の成功を報知することが好ましい。
【００２４】
上記の構成によれば、測定した照度の値が大きいほど高い発光強度で上記発光部を発光させることによって再送信の成功を報知する。このため、携帯情報端末の周囲が明るい場合であっても発光を認識しやすく、周囲が暗い場合には発光強度が抑えられることによって消費電力を抑えることができる。
【００２５】
また、上記携帯情報端末では、上記発光部は、上記携帯情報端末上に設けられており、上記携帯情報端末の周囲の色を検出する色検出部を備え、上記報知手段は、上記色検出部が検出した色に応じて、予め定められた発光色で上記発光部を発光させることによって、再送信の成功を報知することが好ましい。
【００２６】
上記の構成によれば、検出した色に応じて、予め定められた発光色で発光部を発光させることによって再送信の成功を報知するので、携帯情報端末の周囲の色に応じた、ユーザの認識しやすい発光色による報知が可能になる。
【００２７】
例えば、検出した色の補色、または補色に近い色で発光させることによって、発光を認識しやすくすることができる。また、携帯情報端末の周囲の色によらず、発光部の発光色がユーザの目に同じ色で認識されるように、発光部の発光色を設定することもできる。
【００２８】
特に、人が眼を用いて物体を認識する場合、一般的に、視野の最適範囲に比べて色の識別範囲の方が広いので、周囲の色に応じた適切な発光色で発光部を発光させることによって、再送信の成功をユーザに気付かせやすくすることができる。
【００２９】
また、上記携帯情報端末では、上記発光部は、上記携帯情報端末上の複数個所に設けられており、上記携帯情報端末の傾きを検出する傾き検出部を備え、上記報知手段は、複数個所に設けられた上記発光部のうち、上記傾き検出部が検出した傾きで保持されている上記携帯情報端末を、上方もしくは斜め上方から見たときに視認可能な箇所に設けられた発光部を発光させることによって、再送信の成功を報知することが好ましい。
【００３０】
上記の構成によれば、検出した傾きで保持されている携帯情報端末を上方もしくは斜め上方から見たときに視認可能な箇所に設けられた発光部を発光させることによって再送信の成功を報知する。
【００３１】
これにより、メール再送信が成功したことをユーザに認識させることを担保しつつ、ユーザから視認し難い（あるいは視認できない）位置の発光部を無駄に発光させることを防ぐことができる。
【００３２】
また、上記携帯情報端末では、上記報知手段は、電子メールの送信に失敗したときに上記発光部を発光状態とし、上記検出手段が再送信の成功を検出したときに、上記発光部を非発光状態とすることによって再送信の成功を報知することが好ましい。
【００３３】
上記の構成によれば、電子メールの送信に失敗したときに発光部を発光状態とする。そして、再送信の成功を検出したときに、発光部を非発光状態とすることによって再送信の成功を報知する。
【００３４】
したがって、ユーザは、発光部が発光状態となっていることにより、電子メールの送信に失敗し、この電子メールが再送信されていないことを認識することができる。そして、発光部が非発光状態となったことにより、電子メールの再送信が成功したことを認識することができる。
【００３５】
また、上記携帯情報端末は、コンピュータによって実現してもよく、この場合には、コンピュータを上記携帯情報端末の各手段として動作させることにより、上記携帯情報端末をコンピュータにて実現させる制御プログラム、及びそれを記録したコンピュータ読み取り可能な記録媒体も本発明の範疇に入る。
【発明の効果】
【００３６】
以上のように、本発明の携帯情報端末は、再送信の成功を検出する検出手段と、上記検出手段が再送信の成功を検出したときに、発光部の発光状態を変化させることによって再送信の成功を報知する報知手段とを備えている構成である。
【００３７】
また、本発明の報知方法は、以上のように、再送信の成功を検出する検出ステップと、上記検出ステップにて再送信の成功を検出したときに、発光部の発光状態を変化させることによって再送信の成功を報知する報知ステップとを含む構成である。
【００３８】
したがって、ユーザは、何ら操作を行うことなく、発光部を見るだけで、電子メールの再送信に成功したことを認識することができるという効果を奏する。
【図面の簡単な説明】
【００３９】
【図１】本発明の一実施形態を示す図であり、本発明に係る携帯情報端末の要部構成の一例を示すブロック図である。
【図２】上記携帯情報端末におけるメール送信処理の一例を示すフローチャートである。
【図３】上記メール送信処理において行われるメール再送処理の一例を示すフローチャートである。
【図４】上記メール再送処理において行われる報知処理の一例を示すフローチャートである。
【発明を実施するための形態】
【００４０】
本発明の実施の一形態について図１から図４に基づいて説明すれば以下の通りである。まず、本発明の実施の一形態である携帯情報端末１の構成について、図１を参照して説明する。図１は携帯情報端末１の要部構成の一例を示すブロック図である。
【００４１】
携帯情報端末１は、電子メール（以下、単にメールと呼ぶ）の送信機能を有する装置であり、例えば携帯電話端末やスマートフォン等である。携帯情報端末１は、基地局４０およびメールサーバ５０と共に、メール送信のためのネットワークシステムを構成している。すなわち、携帯情報端末１が送信したメールは、まず基地局４０が受信する。そして、基地局４０からメールサーバ５０経由で送信先に送られる。
【００４２】
図１に示すように、携帯情報端末１は、操作部１１、制御部１２、記憶部１３、送信部１４、表示部１５、照度センサ（照度測定部）２１、色温度センサ（色検出部）２２、ジャイロセンサ（傾き検出部）２３、ＬＥＤ（発光部）２４を含む構成である。
【００４３】
操作部１１は、ユーザの操作を検出し、検出した操作の内容を示す操作情報を制御部１２に出力するデバイスである。操作部１１は、物理キー、タッチパネルなどで構成されていてもよく、操作情報は物理キーの入力情報や、タッチパネル上のタッチ位置に対応する座標情報であってもよい。
【００４４】
制御部１２は、携帯情報端末１の動作を統括して制御するものであり、操作受付部３１、メール送信制御部（検出手段）３２、表示制御部３３、および報知部（報知手段）３４を含む。
【００４５】
操作受付部３１は、操作部１１から出力される操作情報を受け付け、この操作情報に対応する指示を決定し、決定した指示に応じた各部に指示を送る。例えば、メールを送信する操作が行われたことを示す操作情報を受け付けた場合には、メール送信指示をメール送信制御部３２に送る。
【００４６】
メール送信制御部３２は、メールの送信に関する制御を行う。具体的には、操作受付部３１からのメール送信指示に従って、送信部１４を介してメールを送信する。そして、メール送信に成功した場合、表示制御部３３に指示して、メール送信に成功したことを示す画像を表示部１５に表示させる。この画像は、例えばメール送信に成功した旨の文字列を含むものであってもよい。
【００４７】
一方、メール送信に失敗した場合、メール送信制御部３２は、表示制御部３３に指示して、メール送信に失敗したことを示す画像を表示部１５に表示させる。この画像は、例えばメール送信に失敗した旨の文字列を含むものであってもよい。
【００４８】
また、メール送信に失敗した場合には、メールを再送信するための制御を行う。具体的には、まず、送信に失敗したメールのメール情報を記憶部１３に一時的に記憶する。ここで、メール情報とは、メールの再送信に必要な情報であり、送信先、件名、及びメール本文などの情報並びに、当該メールが未送信であることを示す情報を含む。
【００４９】
次に、メール送信制御部３２は、基地局４０との通信の可否を判定し、通信可能と判定したときに、記憶部１３に記憶したメール情報を読み出してメールを再送信する。そして、メールの再送信に成功した場合は、メールの再送信に成功したことを報知部３４に通知して、これをユーザに報知させる。
【００５０】
表示制御部３３は、表示部１５に画像を表示させる処理を行う。例えば、メール送信制御部３２の指示に従って、メール送信成功を示す画像、あるいはメール送信失敗を示す画像を表示部１５に表示させる。
【００５１】
報知部３４は、メール送信制御部３２からメール再送成功が通知されたときに、ＬＥＤ２４を点灯させることによって、メールの再送信に成功したことをユーザに報知する。これにより、ユーザは何ら操作を行うことなく、ＬＥＤ２４を見るだけでメールの再送信に成功したことを認識することができる。また、ＬＥＤの消費電力は、液晶表示装置等の表示装置の消費電力と比べて大幅に低いため、ＬＥＤ２４による報知は、表示部１５への表示による報知と比べて、消費電力が抑えられるという利点もある。
【００５２】
さらに、報知部３４は、メールの再送信に成功したことを報知する際に、報知部３４は、照度センサ２１、色温度センサ２２、およびジャイロセンサ２３から取得した照度、色温度、および傾きに応じた点灯制御を行う。
【００５３】
具体的には、報知部３４は、照度センサ２１が測定した携帯情報端末１の周囲の照度が、所定の閾値に満たない場合、ＬＥＤ２４の点灯を待機する。携帯情報端末１の周囲の照度が低い場合、携帯情報端末１は鞄の中のようなユーザの目に触れない場所に収納されている可能性があり、このような状態でＬＥＤ２４を点灯させても意味がないためである。
【００５４】
一方、測定した照度が所定の閾値以上である場合、照度センサ２１が測定した照度、色温度センサ２２が測定した携帯情報端末１の周囲の色温度、ジャイロセンサ２３が測定した携帯情報端末１の傾きの値に応じてＬＥＤ２４を点灯させる。なお、これらの値に応じた点灯制御の詳細は後述する。
【００５５】
記憶部１３は、携帯情報端末１が使用する各種データを格納する記憶装置である。上述のように、記憶部１３には、送信に失敗したメールのメール情報が一時的に記憶される。
【００５６】
送信部１４は、基地局４０との通信を行うデバイスである。具体的には、送信部１４は、メール送信制御部３２によるメールの送信および再送信に用いられ、基地局４０へメールを送信および再送信する。
【００５７】
表示部１５は、表示制御部３３の制御に従って画像を表示するデバイスであり、例えば、メール送信に成功したことを示す画像、あるいはメール送信に失敗したことを示す画像を表示する。
【００５８】
照度センサ２１は、携帯情報端末１の周囲の照度を測定するデバイスである。また、色温度センサ２２は、携帯情報端末１の周囲の色温度を測定するデバイスである。さらに、ジャイロセンサ２３は、携帯情報端末１の傾きを検出するデバイスである。
【００５９】
ＬＥＤ２４は、報知部３４の制御に従って発光する発光体である。携帯情報端末１に設けられるＬＥＤ２４の数は特に限定されないが、ここでは携帯情報端末１上の複数個所に設けられている例を説明する。より詳細には、携帯情報端末１の上面（表示部１５がユーザに正対している状態において、上を向く面）および下面（上面と反対側の面）の２箇所に設けられているとする。
【００６０】
〔メール送信処理〕
次に、携帯情報端末１が実行するメール送信処理の流れについて、図２を参照して説明する。図２は、携帯情報端末１が実行するメール送信処理の一例を示すフローチャートである。なお、同図では、ユーザの入力操作に従ってメールを送信した後の処理を示している。
【００６１】
まず、メール送信制御部３２は、メールの送信が成功したか否か判断する（Ｓ１００）。そして、メールの送信が成功したと判断した場合（Ｓ１００でＹＥＳ）、送信成功した旨をユーザに通知する（Ｓ１０２）。具体的には、メール送信制御部３２は、表示制御部３３に指示して、メール送信に成功したことを示す画像を表示部１５に表示させることによって、ユーザへの通知を行う。
【００６２】
一方、メールの送信に失敗したと判断した場合（Ｓ１００でＮＯ）、メール送信制御部３２は、記憶部１３に当該メールのメール情報を保存し（Ｓ１０４）、送信失敗した旨をユーザに通知する（Ｓ１０６）。具体的には、メール送信制御部３２は、表示制御部３３に指示して、メール送信に失敗したことを示す画像を表示部１５に表示させることによって、ユーザへの通知を行う。なお、このとき、表示部１５が非表示状態となっていれば、この画像の表示を省略してもよい。
【００６３】
そして、メール送信制御部３２は、メール再送処理を行う（Ｓ１０８）。このメール再送処理によって、送信に失敗したメールが再送信され、これによりメール送信処理は終了する。
【００６４】
〔メール再送処理〕
次に、図２のＳ１０８で実行されるメール再送処理の流れについて、図３を参照して説明する。図３は、送信に失敗したメールを再送信する処理であるメール再送処理の一例を示すフローチャートである。
【００６５】
まず、メール送信制御部３２は、基地局４０と通信可能かどうか（通信ネットワークを利用可能な状態であるか）を判定する（Ｓ２００）。基地局４０との通信が不可能であると判定した場合（Ｓ２００でＮＯ）、メール送信制御部３２は、一定時間待機した後、通信が可能となったか判定する。
【００６６】
ここで、基地局４０との通信が可能であると判定した場合（Ｓ２００でＹＥＳ）、メール送信制御部３２は、記憶部１３からメール情報を読み出し、送信部１４を介してメールを再送信する（Ｓ２０２）。
【００６７】
続いて、メール送信制御部３２は、メールの再送信が成功したか否か判断する（Ｓ２０４、検出ステップ）。ここで、メールの再送信に失敗したと判断した場合（Ｓ２０４でＮＯ）、Ｓ２００の処理に戻る。
【００６８】
一方、メールの再送信に成功したと判断した場合（Ｓ２０４でＹＥＳ）、メール送信制御部３２は、メールの再送信に成功したことを報知部３４に通知する。これにより、報知部３４によって報知処理が行われ（Ｓ２０６）、報知処理の終了後、図２に示したメール送信処理に戻る。
【００６９】
〔報知処理〕
次に、図３のＳ２０６で行われる報知処理（報知方法）の流れについて、図４を参照して説明する。図４は、メールの再送信に成功したことをユーザに報知する処理である報知処理の一例を示すフローチャートである。
【００７０】
まず、報知部３４は、照度センサ２１に携帯情報端末１の周囲の照度を測定させ（Ｓ３００）、測定された照度の値を取得する。続いて、報知部３４は、測定された照度の値が、予め設定された閾値以上か否かを判断する（Ｓ３０２）。なお、この処理は、携帯情報端末１が鞄の中などのようなユーザの目に触れない場所に収納されているかを判断するためのものであるから、上記閾値もこのような判断が可能な値とする。
【００７１】
ここで、測定された照度の値が、予め設定された閾値未満であると判断した場合（Ｓ３０２でＮＯ）、報知部３４は、照度センサ２１に照度を再測定させる。電池の消耗を抑えるために、この再測定はタイマ（不図示）などを用いて、一定の間隔で行われることが好ましいが、携帯情報端末１の周囲の照度が閾値以上になるまで測定を継続してもよい。
【００７２】
このように、図４の報知処理では、照度の値が閾値よりも小さい状態ではＳ３０２より先の処理に進むことはなく報知の待機状態となる。一方、照度の値が閾値よりも大きい場合には、ＬＥＤ２４を点灯させる。
【００７３】
これにより、例えば携帯情報端末１が、鞄の中のようなユーザの目に触れない場所に収納されていて、ユーザがＬＥＤ２４の点灯に気付き得ないような状態でＬＥＤ２４を点灯させるという無駄が生じることを防ぐことができる。
【００７４】
Ｓ３０２において、照度の値が予め設定された閾値以上であると判断した場合（Ｓ３０２でＹＥＳ）、報知部３４は、色温度センサ２２に携帯情報端末１の周囲の色温度を測定させる（Ｓ３０４）。続いて、報知部３４は、ジャイロセンサ２３に携帯情報端末１の傾きを測定させる（Ｓ３０６）。そして、報知部３４は、各センサの測定値に基づいて点灯させるＬＥＤ、発光強度、および発光色を決定する（Ｓ３０８）。
【００７５】
具体的には、まず、測定された照度に応じた発光強度を決定する。ここで決定する発光強度は、当該照度において、ユーザがＬＥＤ２４の点灯を認識するために必要十分な強度とする。つまり、照度の値が大きいほど、発光強度を高くする。このような発光強度の決定は、例えば、照度の値の範囲と、その範囲で適用すべき発光強度とが対応付けられたテーブルを参照することで行ってもよい。
【００７６】
これにより、明るい場所においてもＬＥＤ２４の点灯に気付かせやすくすることができ、また必要以上の発光強度で点灯させて無駄に電力を消費したり、ユーザに眩しさを感じさせたりすることを防ぐことができる。
【００７７】
また、報知部３４は、ＬＥＤ２４の発光色を、測定された色温度、すなわち色温度センサ２２が検出した色に応じて、予め定められた色に決定する。なお、ＬＥＤ２４が発光色を変化させることのできるものであれば、決定した発光色で発光させる。また、発光色が固定の複数のＬＥＤ２４を備えている場合には、決定した発光色またはそれに近い発光色のＬＥＤ２４を発光させる。
【００７８】
ここで、検出された色に応じた発光色は、ＬＥＤ２４の点灯をユーザに気付かせやすくするという観点から定められたものであってもよい。例えば、測定された色温度から特定される色の補色に決定してもよい。また、このような発光色の決定は、例えば、色温度の値の範囲と、その範囲で適用すべき発光色とが対応付けられたテーブルを参照することで行ってもよい。
【００７９】
これにより、ＬＥＤ２４の視認性を向上させることができる。特に、人の目は、物そのものの形よりも、色で識別できる範囲が広い（一般的に視野の最適範囲が水平から下へ３０度であるのに対し、色の識別範囲は４０度である）。このため、色温度に応じた発光色で発光させることは、ＬＥＤ２４の点灯を気付かせやすくする効果が大きい。
【００８０】
また、発光色は、ＬＥＤ２４の点灯をユーザに気付かせやすくする以外の観点から決定してもよい。例えば、ＬＥＤ２４の発光色が、その周囲の色にかかわらず同一またはそれに近い色と認識されるような発光色を決定してもよい。ＬＥＤ２４を同じ色で点灯した場合であっても、周囲の色によっては異なる色と認識されることがあるためである。
【００８１】
次に、報知部３４は、測定された携帯情報端末１の傾きに基づいて、点灯させるＬＥＤ２４を決定する。具体的には、携帯情報端末１の上方もしくは斜め上方から視認可能なＬＥＤ２４を点灯させる。なお、点灯させるＬＥＤ２４の決定は、例えば、携帯情報端末１の傾きと点灯させるＬＥＤ２４とが対応付けられたテーブルを参照することで行ってもよい。
【００８２】
これは、携帯情報端末１はユーザの目の位置よりも低い位置に保持されることが通常であるためである。例えば、携帯情報端末１の上面が上方を向いていた場合、上面はユーザの目に留まりやすく、下面は目に留まりにくいと考えられるため、上面に設けられたＬＥＤ２４を点灯させ、下面に設けられたＬＥＤ２４は点灯させない。
【００８３】
また、測定された傾きで保持されている携帯情報端末１の上方もしくは斜め上方から確認可能な位置にＬＥＤ２４が設けられていない場合には、傾きが変わるまでＬＥＤ２４の点灯を待機してもよい。
【００８４】
これにより、メール再送信が成功したことをユーザに認識させることを担保しつつ、ユーザから視認し難い（あるいは視認できない）位置のＬＥＤ２４を無駄に点灯させることを防ぐことができる。
【００８５】
最後に、上記決定した点灯させるＬＥＤ２４を、上記決定した発光強度および発光色で点灯させ、ユーザにメールの再送信が成功したことを報知する（Ｓ３１０、報知ステップ）。これにより、報知処理は終了し、図３に示したメール再送処理に戻る。
【００８６】
なお、Ｓ３１０において、表示部１５が点灯状態であれば、ユーザが表示部１５を見ていると予想されるので、再送信が成功したことを示す文字等を表示部１５に表示させることによって報知し、ＬＥＤ２４による報知を省略してもよい。一方、表示部１５が消灯状態である場合には表示部１５での報知は行わず、ＬＥＤ２４による報知を行う。
【００８７】
〔変形例〕
本実施形態では、照度センサ２１、色温度センサ２２、およびジャイロセンサ２３を用いて照度、色温度、および傾きをそれぞれ測定し、その測定結果をＬＥＤの点灯パターンの決定に用いたが、これらセンサを備えない構成とすることも可能である。
【００８８】
この場合、メールの再送信が成功すると、報知部３４は、予め設定された発光強度と発光色で、所定のＬＥＤ２４を点灯させる。この発光強度と発光色、および点灯させるＬＥＤは、ユーザが適宜変更可能であってもよい。
【００８９】
なお、ＬＥＤ２４を用いた再送結果の報知は、ユーザに再送信が成功したことを認識させ得るようなものであればよく、上記実施形態で説明したような、再送信に成功した時点でＬＥＤ２４を点灯させる例に限られない。
【００９０】
例えば、ＬＥＤ２４を点灯ではなく点滅させてもよい。この場合、点滅のパターンや周期を不在着信やメール受信の報知時と異ならせることによって、メール再送信に成功したことをユーザに認識させるようにしてもよい。
【００９１】
また、例えば、メールの送信に失敗したときにＬＥＤ２４を点灯させ、メールの再送信が成功したときにＬＥＤ２４を消灯してもよい。この場合、ＬＥＤ２４が点灯していることによって、送信に失敗して未送信状態となっているメールが存在することを認識させることができ、ＬＥＤ２４の消灯によって、このメールの再送信が成功したことを認識させることができる。
【００９２】
さらに、ＬＥＤ２４を点灯させるタイミング、周期、あるいは発光数などを変化させてもよい。例えば、メールの送信に失敗したときにＬＥＤ２４を赤色で点灯または点滅させ、メールの再送信が成功したときにＬＥＤ２４の色を青色に変え、一定時間の間、点灯または点滅させてもよい。
【００９３】
また、ＬＥＤ２４の点灯によって、メール再送信に関する経過時間をユーザに認識させるようにしてもよい。例えば、経過時間を測定するタイマを設け、再送信が成功した後の経過時間、あるいは送信に失敗した後の経過時間に応じてＬＥＤ２４の点滅周期や発光数を変化させてもよい。これにより、ユーザは携帯情報端末１を操作することなく、メールの再送信に成功したおおよその時間、あるいは送信失敗したときからの経過時間を知ることができる。
【００９４】
また、上記の例では、ＬＥＤ２４を点灯させることによって報知を行っているが、報知に用いる発光部は、その発光状態を変化させることが可能であり、その発光状態の変化をユーザが認識できるものであればよく、ＬＥＤに限られない。
【００９５】
例えば、携帯情報端末１が物理キーを備えており、この物理キーに投光するライトを備えている場合には、このライトを点灯させることによって報知してもよい。また、携帯情報端末１がサブディスプレイを備えている場合には、このサブディスプレイを点灯させることによって報知してもよい。
【００９６】
この他、携帯情報端末１の表示部１５の一部を点灯させることによって報知してもよい。ただし、この場合、点灯を確認するためのユーザ操作を不要とするため、表示部１５のうち、携帯情報端末１の非操作時においても露出している部分を点灯させる。
【００９７】
さらに、発光部は、ユーザがその発光状態を認識できるように設けられていればよく、携帯情報端末１に設けられていなくてもよい。例えば、携帯情報端末１と通信が可能な通信機器（腕時計のような通信機能を有さないものに通信機を搭載したものであってもよい）にＬＥＤ等の発光部を設け、この発光部によって報知してもよい。この場合、メールの再送信に成功したときに、携帯情報端末１からメール再送信の成功を通知して、通信機器の発光部を発光させる。
【００９８】
また、表示部１５が点灯状態（画像を表示している状態）においては、ユーザが表示部１５を見ていると考えられるため、このような場合には、表示部１５への表示によって再送信の成功を報知し、ＬＥＤ２４による報知を省略してもよい。
【００９９】
この場合、報知部３４は、再送信に成功したことを通知されたときに、表示部１５が表示状態であるか否かを判断し、表示状態であると判断した場合に、再送信の成功を示す情報を表示部１５に表示させることによって再送信の成功を報知する。
【０１００】
〔プログラムによる構成例〕
最後に、携帯情報端末１の各ブロック、特に制御部１２は、集積回路（ＩＣチップ）上に形成された論理回路によってハードウェア的に実現してもよいし、ＣＰＵ（Central Processing Unit）を用いてソフトウェア的に実現してもよい。
【０１０１】
後者の場合、携帯情報端末１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯情報端末１の制御プログラムのプログラムコード（実行形式プログラム、中間コードプログラム、ソースプログラム）をコンピュータで読み取り可能に記録した記録媒体を、携帯情報端末１に供給し、そのコンピュータ（またはＣＰＵやＭＰＵ）が記録媒体に記録されているプログラムコードを読み出し実行することによっても、達成可能である。
【０１０２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０３】
また、携帯情報端末１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。さらに、地上波デジタル放送や衛星放送などの放送経路によって、上記プログラムコードを供給してもよい。
【０１０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０５】
本発明に係るメール再送結果の報知方法は、携帯情報端末に好適である。例えば、携帯電話やスマートフォンなどに適用することができる。
【符号の説明】
【０１０６】
１  携帯情報端末
２１  照度センサ（照度測定部）
２２  色温度センサ（色検出部）
２３  ジャイロセンサ（傾き検出部）
２４  ＬＥＤ（発光部）
３２  メール送信制御部（検出手段）
３４報知部（報知手段）
【図１】
2014003394.tif 000003
【図２】
2014003394.tif 000004
【図３】
2014003394.tif 000005
【図４】
2014003394.tif 000006